(57)【要約】【課題】  画像表示装置において、テレビジョンデータ等の表示により使用を重ねて輝度が落ちたときに、輝度を上げることができる駆動制御装置を提供することを目的とする。【解決手段】  同時に複数の行配線を選択可能であり、選択された行配線に走査選択信号を供給する走査ドライバと、前記走査選択信号に同期して画像データに基づいた変調信号を列配線に供給するデータドライバと、前記表示装置の輝度劣化に関連する値を算出する算出部と、前記算出部により算出された輝度劣化に関連する累積値が所定値を越えたとき、同時に選択する行配線の数を増やすように前記走査ドライバを制御する制御回路と、を備える。【選択図】  図１
2007101893.tif 000002
【特許請求の範囲】
【請求項１】
同時に複数の行配線を選択可能であり、選択された行配線に走査選択信号を供給する走査ドライバと、
前記走査選択信号に同期して画像データに基づいた変調信号を列配線に供給するデータドライバと、
前記表示装置の輝度劣化に関連する値を算出する算出部と、
前記算出部により算出された輝度劣化に関連する値が所定値を越えたとき、同時に選択する行配線の数を増やすように前記走査ドライバを制御する制御回路と、
を備える表示装置の駆動制御装置。
【請求項２】
同時に複数の行配線を選択可能であり、選択された行配線に走査選択信号を供給する走査ドライバと、
前記走査選択信号に同期して画像データに基づいた変調信号を列配線に供給するデータドライバと、
１つの行配線のみを選択し、第１の駆動電圧を表示装置の表示素子に印加する第１の表示モードと、同時に複数の行配線を選択するとともに、第１の駆動電圧より低い第２の駆動電圧を前記画素に印加する第２の表示モードと、のいずれかを選択するための制御回路と、
を備える表示装置の駆動制御装置。
【請求項３】
前記画素はカソード、ゲートおよびアノードを備えており、前記駆動電圧はカソード・アノード間電圧あるいはカソード・ゲート間電圧である
請求項２記載の表示装置の駆動制御装置。
【請求項４】
請求項１乃至３のいずれか１項の駆動制御装置と、
該駆動制御装置から出力される変調信号に従って画像を表示する表示装置と
を備える画像表示装置。
【請求項５】
クレーム４に記載の画像表示装置と、
テレビ信号を受信して該画像表示装置に画像データを供給する受信回路と
を備えるテレビジョン装置。
【発明の詳細な説明】
【技術分野】
【０００１】
本発明は、パッシブマトリックス駆動する駆動制御装置、画像表示装置及びテレビジョン装置に関するものである。
【背景技術】
【０００２】
マトリックス駆動する自発光型ディスプレイは、CRT（カソードレイチューブ）と比較
してどうしても表示が暗くなるため、輝度を高くすることが求められている。
【０００３】
他方、自発光ディスプレイでない液晶ディスプレイでは、輝度よりもコントラストをあげることが求められており、そのためにSTN型液晶におけるものとして、アクティブアド
レッシング駆動方法がある。
【０００４】
例えば、特開平４−３１１１７５号公報（特許文献１）は、液晶において複数ラインを同時駆動する液晶駆動法を開示している。
【０００５】
また、特開２０００−２６７６２４号公報（特許文献２）は、相関がある複数の行に対してのみ同時駆動を行なうマトリクス型表示装置の駆動回路を開示する。
【０００６】
また、特開平８−５０４６２号公報（特許文献３）は、インターレース駆動時に２ラインずつ駆動し、エッジ強調を行なう平面型表示装置を開示する。
【０００７】
特開２００４−１３３１３８号公報（特許文献４）は、複数ライン同時駆動の画像表示装置を開示する。
【特許文献１】特開平４−３１１１７５号公報（特許第３２６２１７５号公報）
【特許文献２】特開２０００−２６７６２４号公報
【特許文献３】特開平８−５０４６２号公報
【特許文献４】特開２００４−１３３１３８号公報
【発明の開示】
【発明が解決しようとする課題】
【０００８】
パッシブマトリックス駆動する自発光型ディスプレイの輝度を上げるには以下の問題がある。なおパッシブマトリクス駆動する自発光型ディスプレイとしては以下を挙げることができる。
・表面伝導型放出素子や、その他の電子放出素子を電子源として用いたディスプレイ。
・PDP（プラズマディスプレイパネル）。
・LED（発光ダイオード）ディスプレイ。
・EL（エレクトロルミネッセンス）ディスプレイ。
【０００９】
液晶で用いられるアクティブアドレッシング駆動方法を自発光型ディスプレイに適用すると、発光してはいけない画素も発光してしまうので、自発光型ディスプレイでは使用できない。
【００１０】
また、自発光型ディスプレイであるPDPにおいて、コンピュータデータを表示する時よ
り、テレビジョンデータを表示する時に、輝度を高くするものがある。この場合は、テレビジョン装置の表示を明るくするというより、駆動電圧や表示データを調整することで、コンピュータデータを暗く表示するものであったため、テレビジョンデータの表示時に通常の駆動時よりも明るくすることは出来なかった。
【００１１】
また無理に、駆動電圧を高くして表示輝度をあげると、消費電力が増加するとともに放熱が難しくなるほど加熱する。そのため、家庭用途として製品化できなくなってしまう。
【００１２】
また、FED等においては、輝度を高くするためにアノード電圧を高くする方法がとられ
るが、アノード電圧をあまり高くすると、上下基板間に放電が起こり、表示装置を破壊してしまう恐れがあった。また、蛍光体の寿命を短くしてしまうので、あまり、アノード電圧を高くすることは出来なかった。
【００１３】
また、ELにおいては、TFT（薄膜トランジスタ）とすることで、輝度を上げられるが、
単純マトリックス駆動に比べて、製造コストが非常に上がってしまう問題があった。
【００１４】
また、特開２０００−２６７６２４（特許文献２）においては、相関検知手段というものを実現する必要があり、これには多大なコストと設計変更を要する。
【００１５】
また、特開平８−５０４６２（特許文献３）においては、インターレース映像を複数行にて駆動する場合のみに実現できる方法であり、線順次駆動では実現できなかった。
【００１６】
また、特開２００４−１３３１３８号公報（特許文献４）においては、複数ライン同時駆動により画像表示装置の長寿命化を実現できる方法を開示する。
【００１７】
本発明においては、表示装置において、画像データの表示により使用を重ねて輝度が落ちたときに、輝度を上げることを目的とする。
【課題を解決するための手段】
【００１８】
本発明は上記目的を達成するため、同時に複数の行配線を選択可能であり、選択された行配線に走査選択信号を供給する走査ドライバと、前記走査選択信号に同期して画像データに基づいた変調信号を列配線に供給するデータドライバと、前記表示装置の輝度劣化に関連する値を算出する算出部と、前記算出部により算出された輝度劣化に関連する値が所定値を越えたとき、同時に選択する行配線の数を増やすように前記走査ドライバを制御する制御回路と、を備えることを特徴とする。
【００１９】
また、本発明は、同時に複数の行配線を選択可能であり、選択された行配線に走査選択信号を供給する走査ドライバと、前記走査選択信号に同期して画像データに基づいた変調信号を列配線に供給するデータドライバと、１つの行配線のみを選択し、第１の駆動電圧を前記表示装置の画素に印加する第１の表示モードと、同時に複数の行配線を選択するとともに、第１の駆動電圧より低い第２の駆動電圧を前記画素に印加する第２の表示モードと、のいずれかを選択するための制御回路と、を備えることを特徴とする。
【発明の効果】
【００２０】
本発明においては、表示装置において、画像データ等の表示により使用を重ねて輝度が落ちたときに、輝度を上げることができる。
【発明を実施するための最良の形態】
【００２１】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。なお、以下の実施形態の全図においては、同一または対応する部分には同一の符号を付す。
【００２２】
（テレビジョン装置の実施の形態）
まず、図２３を用いて本発明が適用可能なテレビジョン装置について説明する。図２３は、本発明に係るテレビジョン装置のブロック図である。テレビジョン装置は、セットトップボックス（ＳＴＢ）５０１と、画像表示装置５０２と、を備える。
【００２３】
セットトップボックス（ＳＴＢ）５０１は、受信回路５０３およびＩ／Ｆ部５０４を有する。受信回路５０３は、チューナーやデコーダ等からなり、衛星放送や地上波等のテレビ信号、ネットワークを介したデータ放送等を受信し、復号化した映像データをＩ／Ｆ部５０４に出力する。Ｉ／Ｆ部５０４は、映像データを画像表示装置５０２の表示フォーマットに変換して画像表示装置５０２に画像データを出力する。
【００２４】
画像表示装置５０２は、表示パネル２００、制御回路５０５、駆動回路５０６を有する。画像表示装置５０２に含まれる制御回路５０５は、入力した画像データに表示パネル２００に適した補正処理等の画像処理を施すともに、駆動回路５０６に画像データ及び各種制御信号を出力する。制御回路５０５は、一例として図１における制御回路１１が挙げられる。駆動回路５０６は、入力された画像データに基づいて、表示パネル２００に駆動信号を出力し、表示パネル２００上にはテレビ映像が表示されることとなる。駆動回路５０６は、一例として図１における列駆動回路１０４や行駆動回路１０２が挙げられる。表示パネル２００は、以下の実施の形態では図１に示すように表示パネル１０１を例に挙げる。表示パネル１０１として、例えば、ＳＥＤ、ＦＥＤ、ＰＤＰ、ＬＥＤ、ＥＬディスプレイ等の種々の表示パネルを用いることができる。
【００２５】
なお、受信回路５０３とＩ／Ｆ部５０４は、セットトップボックス（ＳＴＢ）５０１として画像表示装置５０２とは別の筐体に収められていてもよいし、また画像表示装置５０２と同一の筐体に収められていてもよい。
【００２６】
次に、本実施例の自発光型表示器の駆動装置について以下説明する。駆動装置は、主として、走査ラインは隣接する２ライン以上を同時にアクティブとなるように駆動する駆動手段と、輝度低下（輝度劣化に関連する累積値）を検出する検出手段と、輝度低下に従って駆動手段を制御する制御手段を有する。
（画像表示装置の実施の形態）
以下、添付図面を参照して画像表示装置の好適な実施の形態を説明する。
【００２７】
図８は、従来例の自発光型表示器の回路構成を示すブロック図である。
【００２８】
この例では、フィールドエミッションディスプレイ（FED）における電子放出素子とし
て、表面伝導型放出素子を用いたもの（SED）を示す。
【００２９】
図８において、１０１は表示パネルで、Ｍ行×Ｎ列に配線された（Ｍ×Ｎ）個の表面伝導型放出素子を有する。これら表面伝導型放出素子のそれぞれは行配線に接続された行端子Ｄx1〜ＤxM、列配線に接続された列端子Ｄy1〜ＤyNを介して外部回路と接続されている。また図示していないが、表示パネル１０１の表示面のフェースプレート上の高圧端子も外部の加速用電圧電源１０６に接続され、表面伝導型放出素子から放出された電子をフェースプレート方向に加速するようになっている。前述の行端子Ｄx1〜ＤxMには、前述の表示パネル１０１に設けられているマルチ電子源、即ち、Ｍ行×Ｎ列にマトリクス配線された表面伝導型放出素子を１行ずつ順次駆動するための走査信号が印加される。一方、列端子Ｄy１〜ＤyNには、前記走査信号により選択された一行の表面伝導型放出素子の各素子
の放出電子を、入力される画像信号に応じて制御するための変調信号が印加される。
【００３０】
次に、行駆動回路（走査ドライバ）１０２について説明する。この行駆動回路１０２は
、通常複数のICから構成され、それぞれのICは、複数の行配列に接続されている。そして、行駆動回路１０２は、合計Ｍ個のスイッチング素子を備える。各スイッチング素子は制御回路１０３から入力する制御信号Ｔscanに基づき、走査するラインの放出素子列の配線端子には直流電圧Vs（走査選択信号、選択電圧）を印加する。また走査中でない放出素子列の列端子には直流電圧Vns（非選択信号、非選択電圧）をそれぞれ印加する。
【００３１】
これら各スイッチング素子は、例えばＦＥＴのようなスイッチング素子により容易に構成することができる。尚、直流電圧Vs及びVnsの駆動波形については後述する。
【００３２】
制御回路１０３は、外部より入力される画像信号に基づいて適切な画像表示が行われるように各部の動作タイミングを整合させる働きを持つものである。外部より入力される画像信号（映像信号）は、例えばＮＴＳＣ信号のように画像データと同期信号が複合されている場合と、予め両者が分離されている場合とがあるが、本実施の形態では後者の場合について説明する。すなわち、制御回路１０３は、外部より入力される同期信号Ｔsyncに基づいて各部に対してＴscan、Ｔsft及びＴmryの各制御信号を発生する。尚、同期信号としては、一般に垂直同期信号と水平同期信号とを含むが、説明の簡略化のためここではＴsyncとした。尚、ＮＴＳＣ信号の画像信号に対してはよく知られる同期分離回路を設けて、画像データと同期信号とを分離すれば本実施の形態と同様に扱うことが可能である。
【００３３】
一方、外部より入力される画像データ（輝度データ）は列駆動回路（データドライバ）１０４内のシフトレジスタに入力される。列駆動回路１０４は通常複数のICから構成され、各ICは複数の列配線に接続されている。列駆動回路１０４は、図示しない、シフトレジスタ、ラッチ回路、パルス幅変調回路等から構成される。
【００３４】
シフトレジスタは、時系列的にシリアルに入力される画像データを、画像の１ラインを単位としてシリアル／パラレル変換するためのものである。シフトレジスタは、制御回路１０３より入力される制御信号（シフトクロック）Ｔsftに基づいて、デジタル画像デー
タを１画素ずつ入力して保持する。こうしてシフトレジスタに保持された１ライン分の画像データ（電子放出素子の１ライン（Ｎ素子）分の駆動データに相当する）は、複数の並列信号としてラッチ回路に出力される。
【００３５】
ラッチ回路は、１ライン分の画像データを必要時間の間だけ記憶するための記憶回路であり、制御回路１０３より送られる制御信号Ｔmryに従って複数の並列信号を同時にラッ
チして記憶する。このラッチ回路に記憶された画像データは、複数の並列信号としてパルス幅変調回路に対して出力される。
【００３６】
パルス幅変調回路は、ラッチ回路より入力される画像データに応じて一定の波高値の電圧パルスを発生しており、ここでは入力される輝度データ（多値データ）に対応したパルス幅の信号を出力するパルス幅変調方式の回路を用いる。
【００３７】
このパルス幅変調回路より出力された電圧信号は、より具体的には、画像データの輝度レベルが大きい程幅の広い電圧パルスを有しており、例えば波高値として１０［Ｖ］、最高輝度に対したときには６０［μｓｅｃ］幅のパルスを出力するものである。上記電圧信号は、表示パネル１０１の列端子Ｄy1〜ＤyNに入力される。電圧Ｖｅ１０５は列駆動回路１０４が出力する電圧の電源である。
【００３８】
また、駆動電圧等の設計パラメータは以下のようにして決定している。表面伝導型放出素子は、例えばＶth＝８［Ｖ］を閾値電圧とする電子放出素子特性を有する。従って、画面上の不要な発光を防止するためには、走査していない電子放出素子列に印加される電圧は、必ず８［Ｖ］未満にする必要がある。
【００３９】
たとえば、列駆動電圧Ve＝１０Ｖとすれば、選択電圧Vs＝−５Ｖ、非選択電圧Vns＝５
Ｖとする。
【００４０】
こうすれば、走査している電極上では、列電極アクティブな素子には１５Ｖがかかり、そうでない素子には−５Ｖがかかる。走査していない電極上では、列電極アクティブな素子には５Vがかかり、そうでない素子には−５Ｖがかかる。
【００４１】
±５Ｖの絶対値５Ｖは８Ｖ以下であるので、条件をクリアーする。
【００４２】
実際の電圧値に関しては、ICの定格値などを守りながら、上記条件を勘案して決められる。
【００４３】
また、加速電圧電源１０６を用いて蛍光体に印加する加速電圧Ｖａを次のようにして定めた。すなわち、所望の最大輝度を得るのに必要な蛍光体への投入パワーを蛍光体の発光効率より算出し、（Ｉemax×Ｖａ）が前記投入パワーを満足するように加速電圧Ｖａの大きさを定め、例えば、１０［ＫＶ］とした。
【００４４】
以上のように、各パラメータを決定した。
【００４５】
尚、入力する映像信号として、データ処理がより容易であるディジタル映像信号で説明したが、入力する信号はデジタル映像信号とはかぎらず、アナログ映像信号である場合もある。
【００４６】
また、シリアル／パラレル変換処理に、デジタル信号の処理が容易なシフトレジスタを用いる構成を示しているが、他の構成も可能である。例えば格納アドレスを制御することで格納アドレスを順次変えることにより、シフトレジスタと等価な機能を持つランダムアクセスメモリを用いる場合もある。
【００４７】
図９は、従来例の行駆動回路が出力する電圧波形を示している。
【００４８】
図中、１１１は、行駆動回路に入力するTscanのYsync信号波形、１１２は、最初の行A
を駆動する波形、１１３は２番目の行Bを駆動する波形、以下行C、D、E、Fを駆動する波
形である。
【００４９】
図１におけるDx1〜DxMに対し、「Dx1＝A、Dx2＝B、・・」と対応する。
【００５０】
図８の非選択電圧Vnsは、図９では波形１１２、１１３の高い側の電圧（例えば５Ｖ）
であり、選択電圧Vsは、図９では波形１１２、１１３の低い側の電圧（例えば−５Ｖ）である。
【００５１】
これらの波形１１２、１１３における選択電圧Vsは、行配線の同期信号１１１が立ち上がるたびに、隣接行へと移行し、常にどこかの行配線のみが選択電圧Vsとなり、複数の行配線において選択電圧Vsとなることはない。そして、行駆動における選択電圧Vsに対して、列駆動電圧Ve（例えば１０Ｖ）が加えられた電子放出素子のみが、（例えば１５Ｖになり）スレッシュホールド電圧Vth（例えば８Ｖ）を超え、電子を放出することが出来る。
【００５２】
以下、本発明の実施例を、図を参照して説明する。
【００５３】
［実施例１］
図１、図２及び図３は第１実施例を説明するための図である。図１は、第１実施例の自発光型表示器の回路構成を示すブロック図である。図１において、表示パネル１０１、行駆動回路１０２、列駆動回路１０４、列駆動電圧Ve１０５および加速電圧電源１０６は、図８と同じであるため、説明を省略する。
【００５４】
１１は行駆動回路１０２および列駆動回路１０４を制御する制御回路であり、１２は映像信号を行方向にエッジ強調するエッジ強調回路であり、１３はエッジ強調した信号を列駆動回路の動作可能範囲に制限する正規化回路である。
【００５５】
制御回路１１は、行駆動回路１０２に対し、３本の行配線を同時にアクティブとするように、イネーブル信号およびシンク信号を与える。
【００５６】
エッジ強調回路１２は、映像信号を行方向にエッジ強調処理を行なう。エッジ強調の式は、例えばエッジ強調したBラインのデータを得るには、
新B＝3B−A−C  や、
新B＝2B−A/2−C/2  等のデータ処理を行なう。
ここで、A,B,Cはそれぞれ出力輝度値を示す。詳しくは、後述する。
【００５７】
正規化回路１３は、エッジ強調した結果のデータが、駆動回路の階調範囲を超えている部分に対し、階調数の制限処理を行なう。
【００５８】
階調数を制限する方法としては、各色８ビット階調の場合、データの範囲は０〜２５５に合わせるため、以下の方法がある。
【００５９】
（１）第１の方法として、単純に負の値は０とし、２５５を超える値は２５５とする。
【００６０】
（２）第２の方法として、負の値はその値の半分ずつを上下の画素に加え、２５５を超えた値は超えた分の半分ずつを上下の画素に加える。その後、該当画素を０または２５５とする。
【００６１】
（３）第３の方法として、負の値はその値の４分の１ずつを上下の画素に加え、２５５を超えた値は超えた分の４分の１ずつを上下の画素に加える。その後、該当画素を０または２５５とする。
【００６２】
（４）第４の方法として、負の値はその値の４分の１ずつを左右の画素に加え、２５５を超えた値は超えた分の４分の１ずつを上下の画素に加える。その後、該当画素を０または２５５とする。
【００６３】
（５）第５の方法として、負の値はその値の４分の１ずつを上下左右の画素に加え、２５５を超えた値は超えた分の４分の１ずつを上下の画素に加える。その後、該当画素を０または２５５とする。
【００６４】
これらの他にも正規化する方法は考えられる。なお、第２の方法および第５の方法においては、画素の合計値が保存され、第１の方法、第３の方法および第４の方法においては、合計値は変わる。
【００６５】
後述する図３（ｃ）、図３（ｄ）では、第３の方法による正規化の場合を例示する。
【００６６】
ここで、エッジ強調回路１２および正規化回路１３では、それぞれの処理を行なわずにデータを列駆動回路１０４に出力することも出来る。輝度が劣化していない場合は、上述
の処理を行なわずに列駆動回路１０４へ出力するように、制御回路１１はエッジ強調回路１２および正規化回路１３を制御する。
【００６７】
また、制御回路１１においては、輝度が劣化していない場合は、従来例の図９のような単ライン駆動波形を出力する。
【００６８】
輝度が劣化しているかどうかの検出方法として、簡易的には表示装置の使用時間（輝度劣化に関連する累積値）に基づき判断する。
【００６９】
精密に判断するには、表示データのAPL（Average Picture Level）の累積値（輝度劣化に関連する累積値）を記憶することによって、累積値に基づいて判断する。
【００７０】
これらの構成および判断基準は後述する。
【００７１】
図２は、第１実施例の自発光型表示器の行駆動回路１０２が出力する電圧波形を示している。
【００７２】
図２において、２１は行駆動回路１２０に入力するTscanのHsync信号波形、２２は最初の行Aを駆動する波形、２３は２番目の行Bを駆動する波形、を示す。以下行C、D、E、Fを駆動する波形である。
【００７３】
図１におけるDx1〜DxMに対し、「Dx1＝A、Dx2＝B、・・」と対応する。
【００７４】
上記非選択電圧Vnsは、図２では波形２２、２３の高い側の電圧（例えば５Ｖ）であり
、選択電圧Vsは、図２では波形２２、２３の低い側の電圧（例えば−５V）である。
【００７５】
これら波形２２、波形２３における選択電圧Vsは、行のシンク信号２１が立ち上がるたびに、隣接行が選択電圧Vsとなる、そして、一度選択電圧Vsとなった行は、それからシンク信号２１が３度立ち上がった時点で、非選択電圧Vnsへと変化する。
【００７６】
このことにより、同時に３本の行において、選択電圧Vsとなる。そして、行駆動における選択電圧Vsにたいして、列駆動電圧Ve（例えば１０Ｖ）が加えられた電子放出素子は素子電圧が例えば１５Ｖになり、スレッシュホールド電圧Vth（例えば８V）を超え電子を放出する。結果として列駆動電圧Veを与えた列ごとに、３個の電子放出素子から、電子を放出することになる。この素子電圧およびスレッシュホールド電圧と、素子電流および放出電流の関係を参考として図１０に示しておく。
【００７７】
図３は、第１実施例において、データ処理およびデータ処理後の出力輝度値の相関を表わした図である。
【００７８】
図３（ａ）は、元画像（元の映像信号）データの例を示す。図３（ｂ）は、図３（ａ）の元画像データにエッジ強調処理を行なったデータの例を示す。図３（ｃ）は図３（ｂ）の元画像にエッジ強調処理を行ったデータから正規化をする途中のデータを示す。図３（ｄ）は正規化後のデータを示す。
【００７９】
図３（ｅ）は図３（ａ）の「元画像」データを単純に３倍した値を示す。図３（ｆ）は図３（ａ）の元画像データを３ライン分ずらして足した値を示す。例えば、図３（ｆ）の左上の値「２４０」は図３（ａ）の左上の値「６０」、「８０」及び「１００」を足した値である。図３（ｇ）は、図３（ｂ）の「エッジ強調処理後のデータ」を３ライン分ずらして足した値、図３（ｈ）は、図３（ｄ）の「正規化後」のデータを３ライン分ずらして
足した値を示す。
【００８０】
図３（ａ）は図１の映像信号に相当し、RGB各色のうちの１色分に相当する階調０〜２
５５までの領域のデータの一部である。テレビジョン信号から作ったRGBの映像信号は、
実際の表示エリアよりも広い部分の信号を含むので、本例では、実際に表示する領域は上から３行目以降であり、上２行は下記処理を矛盾無く行なうために使用するデータである。
【００８１】
図３（ａ）の「元画像」データは、エッジ強調処理回路１２に入力される。エッジ強調処理回路１２において行なうエッジ強調処理は、行方向に対する強調処理であり、その処理は図３（ｂ）の例では、Bラインに対するエッジ強調式として、
新B＝2×B-0.5×A-0.5×C
とした。
【００８２】
ここの例以外にも、
新B＝2.5×B-0.75×A-0.75×C
など、その強調度合いの異なるいくつかの式が考えられる。
【００８３】
これらに限らす、エッジ強調処理としては、映像信号と表示器の相性等から任意の方法を採用することが出来る。また、エッジ強調処理を行なわない第２実施例を後述する。
【００８４】
図３（ｂ）では、エッジ強調の結果として、いくつかの座標において、もとの階調領域０〜２５５を上下にはみ出している。データ値としては「２９０」や「−２５」等の値である。
【００８５】
そこで、もとの階調領域を超えた値を、正規化処理回路１３にて領域内に制限する。本実施例では、図１にて前述した方法３を例示する。図３（ｃ）は、正規化処理の前半「負の値はその値の４分の１ずつを上下の画素に加え、２５５を超えた値は超えた分の４分の１ずつを上下の画素に加える。」を行なった結果を示す。図３（ｄ）は、正規化処理の後半「その後、該当画素を０または２５５とする。」を行なった結果を示す。
【００８６】
図３（ｅ）から図３（ｈ）においては、元の８ビット階調領域０〜２５５を上方向に３倍延長した０〜７６７までの階調領域であり、各図内の値は、相対的な階調強度を表わす階調強度値である。この相対的な階調強度値にほぼ比例して、正確には表示器の蛍光体の特性に従って、表示器の各色の輝度が変化する。
【００８７】
図３（ｆ）は、エッジ強調処理等のデータ処理を行なわないで、図２に述べた駆動波形により３ライン同時駆動を行なった時に得られる輝度出力値である。
【００８８】
図３（ｇ）は、図３（ｂ）のエッジ強調処理を行なったデータに対しても同様に３ライン同時駆動が行なえたら、得られるはずの輝度出力値である。この輝度出力値は、図３（ｅ）に示す値に近い値である。ところが、図３（ｂ）のエッジ強調処理したデータは領域外の値を含んでいるので、実現できない。
【００８９】
そこで、本第１実施例においては、図３（ｄ）の正規化後のデータを使用して図３（ｈ）の３ライン同時駆動した輝度出力を得る。図３（ｈ）の輝度出力は、図３（ｅ）に示す値に近い値であるので、図３（ａ）の元画像データに対してほぼ３倍の輝度が得られることになる。
【００９０】
[実施例２]
次に第２実施例として、エッジ強調処理を行なわないで、３ライン同時駆動する場合の例を示す。
【００９１】
本実施例にて、得たい輝度出力（に相当する階調強度値）は、図３（ｅ）に示す元画像データの３倍の値である。通常の映像では、３倍の値に出来るだけ近い輝度出力が望ましいとされるが、映画などはソフトな表示が好まれる。また、元の映像信号に粒状感があったり、ブロックノイズが目立ったりした場合は、エッジ強調を行なわない方が良い表示出力を得られる。
【００９２】
本実施例では、図１において、エッジ強調処理回路１２および正規化回路１３のそれぞれにおいて、上述した処理を行なわず、制御回路１１では、映像データに対して処理を行なった場合と同じタイミングに調整し、図２の波形を得る。
【００９３】
３ライン同時駆動時に出力される輝度は、図３（ｆ）に示す３ライン同時駆動のみを行なった階調強度に相当する輝度である。
【００９４】
[実施例３]
上記第１及び第２の実施例では、同時駆動するライン数を「３」とした例を示したが、本実施例においては、駆動するライン数を複数とすることが特徴であり、３ラインに限るものではない。
【００９５】
第３実施例において、図１、図４および図５を参照して、２ライン同時駆動する例を以下説明する。
【００９６】
図４は、第３実施例の自発光型表示器の行駆動回路が出力する電圧波形を示している。
【００９７】
図４において、２１は、行駆動回路に入力するTscanのYsync信号波形、４１は、最初の行Aを駆動する波形、４２は２番目の行Bを駆動する波形、以下行C、D、E、Fを駆動する波形を示す。
【００９８】
上記非選択電圧Vnsおよび選択電圧Vsは、図２と同様である。
【００９９】
これら波形４１、４２における選択電圧Vsは、行のシンク信号２１が立ち上がるたびに、隣接行が選択電圧Vsとなる、そして、一度選択電圧Vsとなった行は、それからシンク信号２１が２度立ち上がった時点で、非選択電圧Vnsへと変化する。
【０１００】
これにより、常に２本の行配線に選択電圧Vsが印加される。そして、行駆動における選択電圧Vsにたいして、列駆動電圧Ve（例えば１０Ｖ）が加えられた電子放出素子が、スレッシュホールド電圧Vth（例えば８V）を超え電子を放出する。結果として列駆動電圧Veを与えた列配線ごとに、２個の電子放出素子から、電子を放出することになる。
【０１０１】
図５は、第３実施例において、データ処理および出力輝度の相関を表わした図である。
【０１０２】
図５（ａ）は、元画像（元の映像信号）データの例を示す。図５（ｂ）は、図５（ａ）の元画像データにエッジ強調処理を行なったデータの例を示す。図５（ｃ）は図５（ｂ）の元画像にエッジ強調処理を行ったデータから正規化をする途中のデータを示す。図５（ｄ）は正規化後のデータを示す。
【０１０３】
図５（ｅ）は図５（ａ）の元画像データを単純に２倍した値を示す。図５（ｆ）は図５（ａ）の元画像データを２ライン分ずらして足した値を示す。例えば、図５（ｆ）の左上
の値「１４０」は図５（ａ）の左上の値「６０」及び「８０」を足した値である。図５（ｇ）は、図５（ｂ）のエッジ強調処理後のデータを２ライン分ずらして足した値を示す。図５（ｈ）は、図５（ｄ）の正規化後のデータを２ライン分ずらして足した値を示す。
【０１０４】
図５（ａ）は図１の映像信号に相当し、Ｒ（赤）、Ｇ（緑）、Ｂ（青）の各色のうちの１色分に相当する階調０〜２５５までの領域のデータの一部である。テレビジョン信号から作ったＲＧＢの映像信号は、実際の表示エリアよりも広い部分の信号を含むので、本例では、実際に表示する領域は上から３行目以降であり、上２行は下記処理を矛盾無く行なうために使用するデータである。
【０１０５】
図５（ａ）の元画像データは、エッジ強調処理回路１２に入力される。エッジ強調処理回路１２において行なうエッジ強調処理は、行方向に対する強調処理であり、その処理は図５（ｂ）の例では、Bラインに対するエッジ強調式として、
新B＝1.5×B-0.5×A
とした。ここの例以外にも、
新B＝2.5×B-A-0.5×C
など、その強調度合いの異なるいくつかの式が考えられる。
【０１０６】
これらに限らず、エッジ強調処理としては、映像信号と表示器の相性等から任意の方法を採用することが出来る。また、エッジ強調処理を行なわない第４実施例を後述する。
【０１０７】
図５（ｂ）では、エッジ強調の結果として、いくつかの座標が、もとの階調領域０〜２５５を主に下方向にはみ出している。たとえばデータ値としては「−３０」である。
【０１０８】
そこで、このはみだした座標を、正規化処理回路１３にて領域内に制限する。本実施例では、図１にて先述した第３の方法を例示する。図５（ｃ）は、正規化処理の前半「負の値はその値の４分の１ずつを上下の画素に加え、２５５を超えた値は超えた分の４分の１ずつを上下の画素に加える。」を行なった結果を示す。図５（ｄ）は、正規化処理の後半「その後、該当画素を０または２５５とする。」を行なった結果を示す。
【０１０９】
図５（ｅ）から図５（ｈ）においては、元の８ビット階調領域０〜２５５を上方向に2
倍延長した０〜５１１までの階調領域であり、各図内の値は、相対的な階調強度を表わす階調強度値である。この相対的な階調強度値にほぼ比例して、正確には表示器の蛍光体の特性に従って、表示器の各色の輝度が変化する。
【０１１０】
図５（ｆ）は、エッジ強調処理等のデータ処理を行なわないで、図４に述べた駆動波形により２ライン同時駆動を行なった時に得られる輝度出力値である。
【０１１１】
図５（ｇ）は、図５（ｂ）のエッジ強調処理を行なったデータに対しても同様に２ライン同時駆動が行なえたら、得られるはずの輝度出力値である。この輝度出力値は、図５（ｅ）に示す値に近い値である。ところが、図５（ｂ）のエッジ強調処理したデータは領域外の値を含んでいるので、実現できない。
【０１１２】
そこで、本第３実施例においては、図５（ｅ）の正規化後のデータを使用して図５（ｈ）の２ライン同時駆動した輝度出力を得る。図５（ｈ）の輝度出力は、図５（ｅ）に示す値に近い値であるので、図５（ａ）の元画像データに対してほぼ２倍の輝度が得られることになる。
【０１１３】
［実施例４］
次に第４実施例として、エッジ強調処理を行なわないで、２ライン同時駆動する場合の例
を示す。
【０１１４】
本実施例にて、得たい輝度出力（に相当する階調強度値）は、図５（ｅ）に示す元画像データの２倍の値である。通常の映像では、これに出来るだけ近い輝度出力が望ましいとされるが、映画などソフトな表示が好まれる。また、元の映像信号に粒状感があったり、ブロックノイズが目立ったりした場合は、エッジ強調を行なわない方が良い表示出力を得られる。
【０１１５】
本実施例では、図１において、エッジ強調処理回路１２および、正規化回路１３において、それぞれの処理を行なわず、制御回路１１では、データのタイミングに対して処理を行なった場合と同じタイミングに調整し、図４の波形を得る。
【０１１６】
出力される輝度は、図５（ｆ）に相当する階調強度に相当する輝度である。
【０１１７】
［実施例５］
次に、第５実施例において、図６および図７を参照して、行駆動電圧を３種類の電圧にて駆動する例を以下説明する。
【０１１８】
図６は、第５実施例の自発光型表示器の行駆動回路が出力する電圧波形を示している。
【０１１９】
図６において、２１は、行駆動回路に入力するTscanのHsync信号波形、６１は、最初の行Aを駆動する波形、６２は２番目の行Bを駆動する波形、以下行C、D、E、Fを駆動する波形である。
【０１２０】
上記非選択電圧Vnsは、本図では波形６１、６２の高い側の電圧（例えば５Ｖ）であり
、電圧Vsは、図６では波形６１、６２の低い側の電圧（例えば−５Ｖ）である。これに加え、本実施例では、半選択電圧Vhsがあり、これは波形６１、６２の中位の電圧である。
【０１２１】
これら波形６１、６２における電圧Vhs、Vs、Vhsは、行のシンク信号２１が立ち上がるたびに、この順に駆動される。そして行のシンク信号２１が立ち上がるたびに、隣接行が電圧Vhs、Vs、Vhs、へと変化していく。
【０１２２】
このことにより、常に１本の行においてのみ、選択電圧Vsとなる。その時、前後の行は半選択電圧Vhsとなる。
【０１２３】
そして、列駆動電圧Ve（例えば１０Ｖ）が加えられた電子放出素子列において、選択電圧（例えば−５Ｖ）が加えられている電子放出素子のみが例えば１５Ｖになり、半選択電圧（例えば−２Ｖ）が加えられている電子放出素子２個は例えば１２Ｖが印加される。
【０１２４】
これら３個の電子放出素子は、スレッシュホールド電圧Vth（例えば８Ｖ）を超え電子
を放出するので、結果として電圧Veを与えた列ごとに、３個の電子放出素子から、電子を放出することになる。この時、図１０のグラフにおいて、素子電圧１２Ｖにおける放出電流Ieが、素子電圧１５Ｖにおける放出電流の約半分であるとする。説明を簡単にするために放出電流Ieがちょうど半分であるように電圧Vhsを定めた。しかし、実際には放出電流Ieが半分でなく、３分の１あるいは３分の２であってもかまわない。電圧Vhsの値により放出電流Ieは０倍から１倍の間の任意の値に出来る。
【０１２５】
図７は、本発明第５実施例において、データ処理および出力輝度の相関を表わした図である。
【０１２６】
図７（ａ）〜（ｄ）に示すデータは、図３（ａ）〜（ｄ）に示すと同じであるため、説明を省略する。
【０１２７】
図７（ｅ）は図７（ａ）の「元画像」データを単純に２倍した値を示す。図７（ｆ）は図７（ａ）の「元画像」データの各ラインに対し上下のラインの各半分を足した値を示す。図７（ｇ）は、図７（ｂ）の「エッジ強調処理後のデータ」の各ラインに対し上下のラインの各半分を足した値を示す。図７（ｈ）は、図７（ｄ）の「正規化後」のデータの各ラインに対し上下のラインの各半分を足した値を示す。
【０１２８】
図７（ｅ）から図７（ｈ）においては、元の８ビット階調領域０〜２５５を上方向に延長した０〜５１１までの階調領域であり、図内の値は、相対的な階調強度を表わす階調強度値である。この相対的な階調強度値にほぼ比例して、正確には表示器の蛍光体の特性に従って、表示器の各色の輝度が変化する。
【０１２９】
図７（ｆ）は、エッジ強調処理等のデータ処理を行なわないで、図６に述べた駆動波形により３ライン補助駆動を行なった時に得られる輝度出力値である。ここで、中心を電圧Vs、その上下の行を電圧Vhsで駆動した場合を「３ライン補助駆動」と呼ぶことにする。
３ライン補助駆動の場合は、各ラインの輝度出力に上下方向のラインの輝度出力の半分を足したものになる。
【０１３０】
なお、ここでいう半分は一例であり前記したように、電圧Vhsにより０から１の間の値
をとる。
【０１３１】
図７（ｇ）は、図７（ｂ）のエッジ強調処理を行なったデータに対しても同様に３ライン補助駆動が行なえたら、得られるはずの輝度出力値である。この輝度出力値は、図７（ｅ）に示す値に近い値である。ところが、図７（ｂ）のエッジ強調処理したデータは領域外の値を含んでいるので、実現できない。
【０１３２】
そこで、本第７実施例においては、図７（ｅ）の正規化後のデータを使用して図７（ｈ）の３ライン補助駆動した輝度出力を得る。図７（ｈ）の輝度出力は、図７（ｅ）に示す値に比較的近い値であるので、図７（ａ）の元画像データに対してほぼ２倍の輝度が得られることになる。
【０１３３】
[実施例６]
本発明は、パッシブマトリックスを使用するでものあれば、上記FEDおよびその発展形の
一つであるSEDに限らず、自発光型のディスプレイ全てに適用可能である。
【０１３４】
次に、第６実施例として、PDPを使用した表示器における実施例を示す。
【０１３５】
図１１は、PDP（プラズマディスプレイパネル）における駆動部のブロック図である。
【０１３６】
図中、２０１はプラズマ発光を用いたパネル本体、２０２はデータ側のドライバ回路（データドライバ）、２０３は走査側の走査ドライバ（ドライブ回路）、２０４は走査信号を高電圧にするための混合器、２０５は高電圧の供給回路、を示す。
【０１３７】
図１２は、従来例の走査信号のアドレス波形例を示す。
【０１３８】
図１２において、２１１はライン走査の同期信号、２１２はラインAの走査信号、２１
３はラインBの走査信号、２１４は、そのラインをアクティブとするアドレスパルス、２
１５はプラズマ発光を止める消去パルス、を示す。
【０１３９】
図１２のように従来のPDPにおいては、一本のラインのみをアクティブにして、データ
側からの信号もアクティブの画素部分のみプラズマ発光するようにしていた。
【０１４０】
また、PDPにおいてはALIS方式というインターレース駆動する方式もあるが、これにつ
いては、２本のラインをアクティブにして、２本のライン間の領域をアクティブにすることによって発光するという方式である。
【０１４１】
図１３は、本発明第６実施例の走査信号のアドレス波形を示す。
【０１４２】
図１３において、２２１はライン走査の同期信号、２２２はラインAの走査信号、２２
３はラインBの走査信号を示す。２２４は、そのラインをアクティブとする第１のアドレ
スパルス、２２５はプラズマ発光を止める消去パルス、２２６は、そのラインをアクティブとする第２のアドレスパルス、を示す。
【０１４３】
図１３のように、第６実施例においては、PDPにおけるライン（アドレス）電極２本が
重なり合うように同時にアクティブにする。図１３におけるラインAの第２のアドレスパ
ルス２２６と、ラインBにおける第１のアドレスパルスが同時にアクティブとなり、２本
のラインにて、発光させるものである。
【０１４４】
ALIS方式に適用する場合は、３本のラインが同時にアクティブとなるようにして、中心のラインから見て、上下のライン間で同時に発光することが可能である。
【０１４５】
また、FEDおよびSEDにおける第１実施例から第５実施例と同様に、アクティブにするライン数は２本でも、３本でもそれ以上でも同様であり、事前にデータにエッジ強調の処理しても同様である。
【０１４６】
［実施例７］
また、第７実施例において、他のマトリックス駆動の自発光型ディスプレイの例として、有機ELパネルを使用した例を示す。
【０１４７】
図１４は、有機ELパネルを使用したマトリックス駆動の自発光型ディスプレイのブロック図である。
【０１４８】
図１４において、２３１は、有機ELパネル、２３２はデータドライバ、２３３は走査ドライバ、を示す。
【０１４９】
走査ドライバ２３３の駆動波形については、FEDやSEDと電圧値が異なるが、同様の波形であり、図２、図４および図６と同様の波形である。
【０１５０】
データドライバ２３２に供給する映像データについても、図３、図５および図７と同様である。
【０１５１】
［実施例８］
また、第８実施例において、他のマトリックス駆動の自発光型ディスプレイの例として、LEDマトリックスを使用した例を示す。
【０１５２】
図１５は、LEDマトリックスを使用した自発光型ディスプレイのブロック図である。
【０１５３】
図１５において、２４１は、LEDマトリックスディスプレイ、２４２は各々のLED、２４
３は走査ドライバ、２４４はデータドライバ、を示す。
【０１５４】
走査側ドライバ２４３の駆動波形については、FEDやSEDと電圧値が異なるが、同様の波形であり、図２、図４および図６と同様の波形である。
【０１５５】
データドライバ２４４に供給する映像データについても、図３、図５および図７と同様である。
【０１５６】
上記第１から第８実施例において、エッジ強調回路１２および正規化回路１３は、データを列駆動回路１０４に出力することによって、処理をしないで通すことができる。また、駆動ライン数に応じてエッジ強調テーブルを切り替えることによって、２ライン、３ライン、それ以上のライン数へと対応することが出来る。
【０１５７】
また、制御回路１１は、輝度の劣化が許容できる場合は、従来例の図９のような単ライン駆動波形を出力し、輝度劣化に伴ない、同時駆動数を増やした駆動波形を出力する。
【０１５８】
輝度が劣化しているかどうかは、簡易的には表示装置の使用時間によって判断することができる。従って、輝度の劣化の程度は表示装置の使用時間(使用時間の累積値)を算出することで評価することができる。
【０１５９】
精密に判断するには、表示データのAPL（Average Picture Level）の累積値を算出することによって、その値にて判断する。なお輝度劣化に関連する値を算出する算出部とは、プログラムを実行することで値を算出する構成に限るものではない。例えば、輝度を測定するフォトデテクタ等の測定デバイスを表示装置が有するように構成することも可能である。その場合、測定デバイスそのもの、もしくはその測定デバイスの測定値を処理する信号処理部が算出部に相当する。
【０１６０】
図１６は、使用時間の増加に伴なう同時駆動数と輝度の関係の概略を示したグラフである。
【０１６１】
図１６において、３１１は使用時間と輝度の関係図（図１６（ａ））、３１２は使用時間と同時駆動数との関係図（図１６（ｂ））、を示す。また、図１６において、３１３は従来例の単純駆動における輝度劣化のグラフ、３１４は本発明の同時駆動数の切り替えを行なった時の輝度劣化のグラフ、３１５は本発明の同時駆動数の切り替えを示したグラフ、を示す。
【０１６２】
従来の表示装置では、グラフ３１３に示すように、使用時間の経過により、蛍光体等の劣化によって、輝度が劣化していく。
【０１６３】
本発明では、使用時間の経過に伴なって、グラフ３１５に示すように同時駆動数を、１ラインから２、３、４、５ラインへと増やしていくことによって、グラフ３１４に示すようにある一定上の輝度を維持する。
【０１６４】
なお、同時駆動数を増やすことによって、蛍光体等の時間あたりの輝度劣化は増加し、グラフ３１４の傾きは急になるが、ある一定輝度以上の領域は長時間にわたり確保できる。
【０１６５】
同時駆動数が１ラインから２ラインあるいは、２ラインから３ラインへと変化する時には、急に画面が明るくなったりして、使用者を驚かしたりしないように、電源のＯＦＦからＯＮの時に切り替わりが実行される。また、同時駆動数を変化させると、他の設定がそ
のままであると、異様に輝度が明るくなってしまうので、使用者の設定した輝度調整値（明るさ設定など）を変更する処理を行なう。
【０１６６】
本動作について、構成および動作を詳述する。
【０１６７】
図１７は、使用時間を測定し駆動波形を選択するための回路ブロック図である。
【０１６８】
図１７において、３２１は使用時間の測定及び駆動波形の選択をするＭＰＵ（micro processing unit）である。３２２はＭＰＵ３２１で計算された使用時間を記憶するための
ＲＡＭ、３２３は電源ＯＦＦ時にＲＡＭ内のデータが失われないようにするための電池、を示す。
【０１６９】
図１８および図１９を参照して、ＭＰＵ３２１における処理手順を説明する。また、ＲＡＭ３２２および電池３２３の代わりに、フラッシュＲＯＭを用いてもよい。
【０１７０】
図１８および図１９は、ＭＰＵ３２１の処理手順を示した図である。
【０１７１】
以下、処理ステップごとに説明する。
【０１７２】
＜累積使用時間の更新＞
ＭＰＵ３２１内のカウンタを用いた割り込み処理によって、１分毎に処理が開始される（ステップ３３１）。
【０１７３】
ステップ３３２にて、ＭＰＵ３２１はＲＡＭ３２２から表示装置の累積使用時間を読み込む。この累積使用時間は、最初の工場出荷時に０が書き込まれているものとする。あるいは工場内でのエージング時間を書き込んでおいても良い。ユーザが使用を開始した後は、以後のステップ３３４にて書き込まれていた累積使用時間である。
【０１７４】
ステップ３３３にて、ＭＰＵ３２１は読み出した累積使用時間に「１」を足す。
【０１７５】
ステップ３３４にて、ＭＰＵ３２１はＲＡＭ３２２に計算後の累積使用時間を書き込む。
【０１７６】
ステップ３３５にて、別の処理に復帰する。
【０１７７】
＜累積使用時間を用いた同時駆動数の決定＞
表示装置の電源がＯＦＦからＯＮへ変化するたびに実行する立ち上げルーチンの一部として、ＭＰＵ３２１が処理を開始する（ステップ３４１）。
【０１７８】
ステップ３４２にて、ＭＰＵ３２１がＲＡＭ３２２から累積使用時間を読み出す。
【０１７９】
ステップ３４３にて、累積使用時間の数値に基づき同時駆動数を決定する。同時駆動数決定のためのパラメータは蛍光体の劣化データ等から予め決めておく。例えば２００００時間にて、４０％輝度劣化するのであれば、２００００時間（＝１２０００００分）以降であれば、複数ラインを同時駆動するものと決めておく。それ以降の使用時間についても合わせて、例えば以下のように決めておく。
【０１８０】
〔以下の単位は分〕
０〜１２０００００：単純駆動
１２００００１〜２００００００：２ライン同時駆動
２０００００１〜２６０００００：３ライン同時駆動
２６００００１〜３００００００：４ライン同時駆動
３０００００１〜              ：５ライン同時駆動
次に、ステップ３４４において、図１で示したエッジ強調回路１２および正規化回路１３に対し、前ステップで決めた同時駆動数に合わせて、変換テーブルを設定する。
【０１８１】
ステップ３４５では、同様に図１で示した制御回路１１の同時駆動数を設定する。
【０１８２】
このように本実施例の設定が終われば、ステップ３４６で、立ち上げルーチン中の次の処理へと復帰する。
【０１８３】
以上のように、累積使用時間（輝度劣化に関連する累積値）によって、同時駆動数を切り替える実施例を説明した。次に、表示データの累積値によって、同時駆動数を切り替える実施例を説明する。
【０１８４】
＜累積ＡＰＬ値の更新＞
図２０は、表示データの累積値を測定し駆動波形を選択するための回路ブロック図である。
【０１８５】
図２０において、３２１は使用時間の測定及び駆動波形の選択をするＭＰＵ、３２２はＭＰＵ３２１で計算された使用時間を記憶するためのＲＡＭ、３２３は電源ＯＦＦ時にＲＡＭ内のデータが失われないようにするための電池を示す。３５１は１フレームごとの表示データからＡＰＬ値を測定する回路、３５２はＡＰＬ測定回路３５１の出力を累積的に加算する回路、を示す。
【０１８６】
ＡＰＬ検出回路３５１では、表示データの値を１フレーム分だけ加算器にて加算し、１フレーム分のデータ数で割った値を出力する。累積加算器３５２は上記出力を累積的に加算する回路である。ＭＰＵ３２１が読み出した後、累積値は０に戻る。
【０１８７】
図２１および図２２は、ＭＰＵ３２１における処理手順を示すフローチャートである。
【０１８８】
以下、処理ステップごとに説明する。
【０１８９】
ＭＰＵ３２１内のカウンタを用いた割り込みによって、１分毎に処理が開始される（ステップ３６１）。
【０１９０】
ステップ３６２にて、ＭＰＵ３２１はＲＡＭ３２２から表示装置の累積ＡＰＬ値を読み込む。この累積ＡＰＬ値は、最初の工場出荷時に０が書き込まれている。あるいは工場内でのエージング期間中に表示したデータに応じた値を書き込んでおいても良い。ユーザが使用を開始した後は、以後のステップ３６５にて書き込まれていた累積ＡＰＬ値である。
【０１９１】
ステップ３６３にて、１分間の累積ＡＰＬ値を累積加算器３５２から読み出す。ステップ３６４にて、以下の計算を行なう。
新累積ＡＰＬ値＝１分間の累積ＡＰＬ値÷１分間のフレーム数＋旧累積ＡＰＬ値
【０１９２】
ステップ３６５でＲＡＭ３２２に新しい累積ＡＰＬ値を書き込む。ステップ３６６で別の処理に復帰する。
【０１９３】
＜累積ＡＰＬ値を用いた同時駆動数の決定＞
表示装置の電源をＯＦＦからＯＮへ変化するたびに実行する立ち上げルーチンの一部とし
て、ＭＰＵ３２１が処理を開始する（ステップ３４１）。
【０１９４】
ステップ３７２にて、ＲＡＭ３２２から累積ＡＰＬ値を読み出す。ステップ３７３にて、累積ＡＰＬ値から同時駆動数を決定する。このためのパラメータは蛍光体の劣化データ等から予め決めておく。例えば、１分間のＡＰＬが３０％で表示装置を２００００時間使用した場合表示装置が４０％輝度劣化し、複数ラインを同時駆動するものと決めておく。このとき、２００００時間は、１２０００００分であり、ＡＰＬ値「0.3」をかけて累積
ＡＰＬ値に直すと３６００００（分）以降であれば、複数ラインを同時駆動する。それ以降の累積ＡＰＬ値についても合わせて、例えば以下のように決めておく。
【０１９５】
〔以下の単位は分〕
０〜３６００００：単純駆動
３６０００１〜６０００００：２ライン同時駆動
６００００１〜７８００００：３ライン同時駆動
７８０００１〜９０００００：４ライン同時駆動
９００００１〜            ：５ライン同時駆動
【０１９６】
一例として、（ｉ）１分間ずっと真っ白を表示すると１００％（＝１）になり、（ｉｉ）３０秒１２０のデータを表示して、３０秒６４のデータを表示すると３６％（＝０．３６）になる。１分間のＡＰＬ値はそれぞれ（ｉ）「１」と（ｉｉ）「０．３６」であり、２分間の累積ＡＰＬ値は「１．３６（＝１３６％）」となる。
このとき、上記（ｉ）及び（ｉｉ）の表示を２６４７０６回繰り返し実行した場合（５２９４１２分）、累積ＡＰＬ値は「１．３６×２６４７０６＝３６００００．１６（分）」となる。累積ＡＰＬ値が３６０００１分（実時間５２９４１３分）以降に、２ラインを同時駆動する。
【０１９７】
次に、ステップ３４４において、図１で示したエッジ強調回路１２および正規化回路１３を前ステップで決めた同時駆動数に合わせて、テーブルを設定する。
【０１９８】
ステップ３４５では、同様に図１で示した制御回路の同時駆動数を設定する。
【０１９９】
このように本発明の実施例の設定が終われば、ステップ３４６で、立ち上げルーチン中の次の処理へと復帰する。
【０２００】
このようにして、同時駆動数を変えることにより、表示装置の輝度寿命を実質的に延ばすことが可能である。
【０２０１】
表示装置をＴＶ装置のディスプレイとして長時間使用したとき、表示装置の蛍光体や電子源の劣化にともなう輝度減少が起る。このような場合でも、ラインダブラ−（line doubler）やライントリプラー（line tripler）を行うことにより輝度を確保して、表示装置を使用する期間を長くし、ＴＶ装置の寿命を遅らせることが可能になる。
【０２０２】
また、PC等の表示装置として使用する場合にも、本実施例の動作をさせることにより表示装置の輝度を明るくすることで表示装置を使用する期間を長くし、表示装置の寿命を遅らせることが可能になる。
【図面の簡単な説明】
【０２０３】
【図１】本発明第１実施例の自発光型表示器の回路構成を示すブロック図である。
【図２】本発明第１実施例の自発光型表示器の行駆動回路が出力する電圧波形である。
【図３】本発明第１実施例において、データ処理および出力輝度の相関を表わした図である。
【図４】本発明第３実施例の自発光型表示器の行駆動回路が出力する電圧波形である。
【図５】本発明第３実施例において、データ処理および出力輝度の相関を表わした図である。
【図６】本発明第５実施例の自発光型表示器の行駆動回路が出力する電圧波形である。
【図７】本発明第５実施例において、データ処理および出力輝度の相関を表わした図である。
【図８】従来例の自発光型表示器の回路構成を示すブロック図である。
【図９】従来例の行駆動回路が出力する電圧波形である。
【図１０】素子電圧およびスレッシュホールド電圧と、素子電流および放出電流の関係を示す図である。
【図１１】PDP（プラズマディスプレイパネル）における駆動部のブロック図である。
【図１２】従来例の走査信号を示す図である。
【図１３】本発明第６実施例の走査信号を示す図である。
【図１４】有機ELパネルを使用したマトリックス駆動の自発光型ディスプレイのブロック図である。
【図１５】LEDマトリックスを使用した自発光型ディスプレイのブロック図である。
【図１６】使用時間による同時駆動数と輝度の関係の概略を示したグラフである。
【図１７】使用時間を測定し駆動波形を選択するための回路ブロック図である。
【図１８】ＭＰＵ３２１が処理する内容を示した図である。
【図１９】ＭＰＵ３２１が処理する内容を示した図である。
【図２０】表示データの累積値を測定し駆動波形を選択するための回路ブロック図である。
【図２１】ＭＰＵ３２１が処理する内容を示した図である。
【図２２】ＭＰＵ３２１が処理する内容を示した図である。
【図２３】本実施例に係るテレビジョン装置のブロック図である。
【符号の説明】
【０２０４】
１１    制御回路
１２    エッジ強調回路
１３    正規化回路
１０１  表示パネル
１０２  行駆動回路
１０４  列駆動回路
１０５  電源
１０６  加速電圧電源
【図１】
2007101893.tif 000003
【図２】
2007101893.tif 000004
【図３】
2007101893.tif 000005
【図４】
2007101893.tif 000006
【図５】
2007101893.tif 000007
【図６】
2007101893.tif 000008
【図７】
2007101893.tif 000009
【図８】
2007101893.tif 000010
【図９】
2007101893.tif 000011
【図１０】
2007101893.tif 000012
【図１１】
2007101893.tif 000013
【図１２】
2007101893.tif 000014
【図１３】
2007101893.tif 000015
【図１４】
2007101893.tif 000016
【図１５】
2007101893.tif 000017
【図１６】
2007101893.tif 000018
【図１７】
2007101893.tif 000019
【図１８】
2007101893.tif 000020
【図１９】
2007101893.tif 000021
【図２０】
2007101893.tif 000022
【図２１】
2007101893.tif 000023
【図２２】
2007101893.tif 000024
【図２３】
2007101893.tif 000025